(57)【要約】【課題】装飾体の取付を簡単化し、装飾体の周縁部を内壁から離間させて取り付けることができるようにし、さらに装飾体の配置レイアウトの自由度も大きくできるようにする。【解決手段】支持板３は２つの凸状部材４を予め決められた所定間隔寸法Ｑで備え、装飾体１Ａは、少なくとも１枚の支持板３を覆い隠し得る大きさであって前記凸状部材４に挿入及び抜脱可能に係合される凹状部材５を裏面に前記所定間隔寸法Ｑで複数備えている。建物の内壁２に、前記支持板３を、木ねじ６により取付け、この支持板３の凸状部材４に装飾体１Ａの凹状部材５を挿入係合させることにより、装飾体１Ａを、内壁２に、支持板３を隠した状態で且つ該装飾体１Ａの全周縁部が内壁２から離間した状態に取付ける。【選択図】図１
2010071002.tif 000002
【特許請求の範囲】
【請求項１】
複数の係合部を予め決められた所定間隔寸法で備えた支持板と、
１枚の前記支持板又は複数枚の前記支持板を覆い隠し得る大きさであって前記係合部に挿入及び抜脱可能に係合される被係合部を裏面に前記所定間隔寸法又は該所定間隔寸法の整数倍の寸法で複数備えた装飾体とを備え、
前記係合部及び被係合部は、いずれか一方が凸形状をなし他方が凹形状をなし、
建物の内壁に、前記支持板を、ねじにより取付け、この支持板の前記係合部に前記装飾体の前記被係合部を挿入係合させることにより、前記装飾体を、前記建物の内壁に、前記支持板を隠した状態で且つ該装飾体の全周縁部が前記内壁から離間した状態に取付けることを特徴とする装飾体取付構造。
【請求項２】
１個の係合部を備え建物の内壁に取付けられる複数の支持板と、
前記複数の支持板を覆い隠し得る大きさであって前記係合部に挿入及び抜脱可能に係合する被係合部を裏面に予め決められた所定の間隔寸法で複数備えた装飾体とを備え、
前記係合部及び被係合部は、いずれか一方が凸形状をなし他方が凹形状をなし、
前記支持板を、前記係合部が前記所定の間隔寸法となるように建物の内壁にねじにより取付け、
この支持板の前記係合部に前記装飾体の前記被係合部を挿入係合させることにより、前記装飾体を、前記建物の内壁に、前記支持板を隠した状態で且つ該装飾体の全周縁部が前記内壁から離間した状態に取付けることを特徴とする装飾体取付構造。
【請求項３】
前記装飾体は、パネル板であることを特徴とする請求項１又は２に記載の装飾体取付構造。
【請求項４】
前記装飾体は、ボックスであることを特徴とする請求項１又は２に記載の装飾体取付構造。
【請求項５】
前記装飾体は、棚であることを特徴とする請求項１又は２に記載の装飾体取付構造。
【発明の詳細な説明】
【技術分野】
【０００１】
本発明は、装飾体を建物の内壁に着脱可能に取付ける装飾体取付構造に関する。
【背景技術】
【０００２】
従来、装飾体としてのパネルを建物の内壁に取付ける技術として特許文献１に示す技術がある。このものでは、パネルの裏面に、第１の面ファスナーを予め固着し、この第１の面ファスナーには、取外し可能な第２の面ファスナーを予め接合しておき、この第２の面ファスナーの裏面には、前記内壁に接着可能な接着剤を設けておく。
【０００３】
そして、パネルの裏面の第２の面ファスナーの接着剤を該内壁に押し付けることにより、該接着剤により前記パネルを前記内壁に取付ける構成としている。
前記パネルを内壁から取り外す場合には、該パネルを該内壁から引き離すようにすれば、第１の面ファスナーが、内壁に接着された第２の面ファスナーから剥がれ、これにより、パネルが取り外される。
【０００４】
この後、別のパネルを前記内壁に取り付ける場合、該別のパネルの裏面に第１の面ファスナーを、前記内壁の残された第２の面ファスナーと位置が合うように固着し、当該第１の面ファスナーを、第２の面ファスナーに押し付けることにより、該別のパネルを内壁に取り付けるようにしている。
【特許文献１】特開２００７−５６５１７号公報
【発明の開示】
【発明が解決しようとする課題】
【０００５】
ところが、上記従来では、別のパネルを内壁に取り付ける場合には、第１の面ファスナーを、パネル裏面に、内壁の第２の面ファスナーの位置に合わせて接着しなければならず、またその後、パネルの第１の面ファスナーを、内壁の第２の面ファスナーに位置合わせするとき、第１の面ファスナー及び第２の面ファスナーが一部でも重なると、部分的にすぐに接合されていまい、第１の面ファスナーの全面を、第２の面ファスナーの全面に接合させることが難しい。
【０００６】
また、パネルが内壁にほとんど隙間無く装着されるため、立体感に乏しく、装飾性が劣り、また、パネル周縁部を間接照明のために利用することも困難であった。さらに、パネルの配置レイアウトの自由度が低いという問題があった。
【０００７】
本発明は、上述の事情に鑑みてなされたものであり、その目的は、装飾体の取付が簡単で、装飾体の周縁部を内壁から離間させて取り付けることができて、装飾性の向上や、間接照明に利用することが可能で、さらに装飾体の配置レイアウトの自由度も大きい装飾体取付構造を提供することにある。
【課題を解決するための手段】
【０００８】
請求項１の発明は、複数の係合部を予め決められた所定間隔寸法で備えた支持板と、１枚の前記支持板又は複数枚の前記支持板を覆い隠し得る大きさであって前記係合部に挿入及び抜脱可能に係合される被係合部を裏面に前記所定間隔寸法又は該所定間隔寸法の整数倍の寸法で複数備えた装飾体とを備え、前記係合部及び被係合部は、いずれか一方が凸形状をなし他方が凹形状をなし、建物の内壁に、前記支持板を、ねじにより取付け、この支持板の前記係合部に前記装飾体の前記被係合部を挿入係合させることにより、前記装飾体を、前記建物の内壁に、前記支持板を隠した状態で且つ該装飾体の全周縁部が前記内壁から離間した状態に取付けるところに特徴を有する。
【０００９】
上記請求項１の発明においては、支持板における凸状又は凹状をなす係合部に対して、凹状又は凸状をなす被係合部を挿入係合させることで、装飾体を内壁に取り付けるから、被係合部及び係合部が見えない状態でも、被係合部の係合部に対する当接具合が、装飾体を持った手の感触で判断でき、取付が容易となる。しかも、支持板が、複数の係合部を予め決められた所定間隔寸法で備え、且つ装飾体も被係合部を前記所定間隔寸法又は該所定間隔寸法の整数倍で備えているから、支持板及び装飾体が複数ある場合に、装飾体の付け替えが可能であり、装飾体の配置レイアウトの自由度も大きい。また、支持板の厚みだけ、装飾体周縁部が内壁から離間することとなり、装飾性の向上や、間接照明に利用することが可能となる。
【００１０】
請求項２の発明は、１個の係合部を備え建物の内壁に取付けられる複数の支持板と、前記複数の支持板を覆い隠し得る大きさであって前記係合部に挿入及び抜脱可能に係合する被係合部を裏面に予め決められた所定の間隔寸法で複数備えた装飾体とを備え、前記係合部及び被係合部は、いずれか一方が凸形状をなし他方が凹形状をなし、前記支持板を、前記係合部が前記所定の間隔寸法となるように建物の内壁にねじにより取付け、この支持板の前記係合部に前記装飾体の前記被係合部を挿入係合させることにより、前記装飾体を、前記建物の内壁に、前記支持板を隠した状態で且つ該装飾体の全周縁部が前記内壁から離間した状態に取付けるところに特徴を有する。
【００１１】
この請求項２の発明は、支持板が１つの係合部を備え、装飾体が、複数の支持板を覆い隠し得る大きさであって、支持板を、係合部が前記所定の間隔寸法となるように建物の内壁にねじにより取付けた構成であるから、装飾体を、任意の複数の支持板に選択的に取付けることが可能であり、装飾体の配置レイアウトの自由度がさらに大きい。
【００１２】
請求項３の発明は、請求項１又は２において、前記装飾体が、パネル板であるところに特徴を有し、これによれば、特に内壁の装飾性を良くすることができる。
請求項４の発明は、請求項１又は２において、前記装飾体が、ボックスであるところに特徴を有し、これによれば、装飾のバリエーションが増すとともに、別の装飾品の収容ボックスとして利用できる。
請求項５の発明は、前記装飾体が、棚であるところに特徴を有し、これによれば、別の装飾品の陳列装飾にも利用できる。
【発明の効果】
【００１３】
本発明によれば、装飾体の取付が簡単で、装飾体の周縁部を内壁から離間させて取り付けることができて、装飾性の向上や、間接照明に利用することが可能で、さらに装飾体の配置レイアウトの自由度も大きくできる。
【発明を実施するための最良の形態】
【００１４】
以下、本発明の第１の実施例につき図１ないし図８を参照して説明する。まず、図８には、装飾体１Ａ、１Ｂを建物の内壁２に取り付けた状態を示している。これら装飾体１Ａ、１Ｂの取付構造について説明する。
前記装飾体１Ａ、１Ｂは、それぞれ支持板３を介して内壁２に取り付けられている。前記支持板３は、図５に示すように、木製板から細長矩形板状に形成されており、表面側には係合部である凸状部材４、４を取着している。
【００１５】
この凸状部材４は、図２及び図３に示すように、例えばプラスチック製であり、抜け止め構造の取付基部４ａに首部４ｂを介して係合頭部４ｃを形成した構成である。この凸状部材４は、前記支持板３の表面に形成された取付穴部３ａ、３ａに前記取付基部４ａが嵌入されることにより、該支持板３に、前記首部４ｂ及び係合頭部４ｃが突出する形態で取付けられている。この場合、取付穴部４ａ、４ａは、予め決められた所定間隔寸法Ｑに形成されており、従って、凸状部材４が予め決められた所定間隔寸法Ｑで、前記支持板３に備えられている。
【００１６】
前記凸状部材４の前記取付基部４ａは、多段の抜け止め部４ａ１を有しており、該凸状部材４が前記取付穴４ａから容易には抜けないようになっている。
前記一方の装飾体１Ａは、細長矩形板状の木製パネルから構成されており、この装飾体１Ａは、木製でも、プラスチック製でも良い。この装飾体１Ａは、図４に示すように、１つの前記支持板３を覆い隠し得る大きさである。そして、この装飾体１Ａの裏面には、前記所定間隔寸法Ｑで２つの取付穴１Ａａが形成されており、各取付穴１Ａａに被係合部である凹状部材５が嵌入配設されている。すなわち、装飾体１Ａは、前記所定間隔寸法Ｑで複数（２つ）の凹状部材５を備えた構成である。
【００１７】
この凹状部材５は、図２及び図３に示すように、前記凸状部材４に挿入及び抜脱可能に係合されるものであり、この凹状部材５は、円環部５ａと、この円環部５ａの一端部から円環部５ａ開口方向へ延びて拡開及び縮小変形可能な爪部５ｂとを一体に有して構成されている。
【００１８】
前記円環部５ａの外周には、多段に抜け止め部５ａ１が形成されており、この抜け止め部５ａ１は、該凹状部材５が前記取付穴１Ａａから抜け出ることを防止している。また、前記爪部５ｂは複数例えば４つあって、相互間にスリット５ｃが存在する。この４つの爪部５ｂが全体として弾性的に拡開及び縮小変形する。
【００１９】
前記他方の装飾体１Ｂは、図６に示すように、細長矩形板状の木製パネルから構成されており、この装飾体１Ｂは、木製でも、プラスチック製でも良い。この装飾体１Ｂは、複数枚この場合２枚の前記支持板３を覆い隠し得る大きさである。そして、この装飾体１Ｂの裏面には、前記所定間隔寸法Ｑをおいた４箇所に、取付穴１Ｂａを形成しており（合計４つ）、そのうちの両側端の取付穴１Ｂａに前述の凹状部材５を嵌入配設している。従って、この装飾体１Ｂは、裏面に、前記所定間隔寸法Ｑの整数倍（３倍）の寸法Ｑ３で凹状部材５、５を備えている。
【００２０】
そして、まず、前記装飾体１Ａ、１Ｂを内壁２に取り付ける場合、支持板３を適宜内壁２に適宜配置してねじである木ねじ６により、該内壁２に取付ける。この場合、隣合う支持板３、３は、図４及び図５に示すように、隣り合う凸状部材４が所定間隔寸法Ｑとなるように配置して取り付けると良い。
【００２１】
そして、これら支持板３の前記凸状部材４に前記装飾体１Ａ、１Ｂの前記凹状部材５を挿入係合させることにより、前記装飾体１Ａ、１Ｂを、前記建物の内壁２に、前記支持板３を隠した状態で且つ該装飾体１Ａ、１Ｂの全周縁部が前記内壁２から離間した状態に取付ける。この場合、図６に示すように、装飾体１Ｂは、その凹状部材５、５が、２つの支持板３、３にあって外側の凸状部材４、４（所定間隔寸法Ｑの３倍の間隔寸法Ｑ３）に挿入係合される。この場合、当該支持板３、３の内側の凸状部材４、４は、図７に示すように、装飾体１Ｂの空の取付穴１Ｂａに入り込む。
【００２２】
このような本実施例によれば、支持板３における凸状部材４に対して、凹状部材５を挿入係合させることで、装飾体１Ａ、１Ｂを内壁２に取り付けるから、これら凸状部材４及び凹状部材５が見えない状態でも、凹状部材５の凸状部材４に対する当接具合が、装飾体１Ａ、１Ｂを持った手の感触で判断でき、取付が容易となる。しかも、支持板３が、複数の凸状部材４を予め決められた所定間隔寸法Ｑで備え、且つ装飾体１Ａも凹状部材５を前記所定間隔寸法Ｑで備え、装飾体１Ｂは該所定間隔寸法Ｑの３倍で備えているから、装飾体１Ａ、１Ｂの付け替えが可能であり、装飾体１Ａ、１Ｂの配置レイアウトの自由度も大きい。
【００２３】
また、図１、図２に示すように、支持板３の厚みだけ、装飾体１Ａ、１Ｂ周縁部が内壁２から離間することとなり、照明器（小型電球や、小型蛍光灯、ＬＥＤなど）Ｌをその隙間に配置可能で、装飾性の向上や、間接照明に利用することが可能となる。
【００２４】
また、上記実施例では、装飾体１Ａ、１Ｂを、パネル板から構成したから、特に内壁の装飾性を良くすることができる。なお、図７において、全ての取付穴１Ｂａに凹状部材５を嵌入して全箇所で係合するようにしても良い。
【００２５】
図９及び図１０は本発明の第２の実施例を示しており、この実施例では、装飾体１Ｃがボックスから構成されている点が第１の実施例と異なる。この第２の実施例によれば、装飾のバリエーションが増すとともに、別の装飾品の収容ボックスとして利用できる。
【００２６】
図１１ないし図１３は本発明の第３の実施例を示し、装飾体１Ｄ、１Ｅが、棚であるところに特徴を有し、これによれば、別の装飾品の陳列装飾にも利用できる。
図１４及び図１５は本発明の第４の実施例を示している。この実施例における支持板１１は、１個の凸状部材１２（係合部）を備え、複数個の支持板１１が建物の内壁２に取付けられる。装飾体１３は、前記複数の支持板１１を覆い隠し得る大きさであって、裏面に凹状部材１４を予め決められた所定の間隔寸法Ｑで複数備えている。
【００２７】
前記支持板１１を、前記凸状部材１２が前記所定の間隔寸法Ｑとなるように建物の内壁２に木ねじ６により取付ける。図１４では、この複数の支持板１１のうちの横方向に並ぶ２つの支持板１１の前記凸状部材１２に前記装飾体１３の前記凹状部材１４を挿入係合させることにより、前記装飾体１３を、前記建物の内壁２に、前記支持板１１を隠した状態で且つ該装飾体１３の全周縁部が前記内壁２から離間した状態に取付けている。また、図１５では、複数の支持板１１のうちの縦方向に並ぶ２つの支持板１１に装飾体１３を取付けている。
【００２８】
この第４の実施例によれば、支持板１１が１つの凸状部材１２を備え、装飾体１３が、複数の支持板１１を覆い隠し得る大きさであって、支持板１１を、その凸状部材１２が前記所定の間隔寸法Ｑとなるように建物の内壁２にねじにより取付けた構成であるから、装飾体を、任意の複数の支持板に選択的に取付けることが可能であり、装飾体の配置レイアウトの自由度がさらに大きい。
【００２９】
なお、本発明は上記した各実施例に限定されるものではなく、例えば、係合部を凹状部材から構成し、被係合部を凸状部材から構成しても良い。また、これら係合部及び被係合部の形状は上記実施例に限られるものではない。また、装飾体としては種々の形状・大きさのものでも良く、又、色などを種々変更できる。
【図面の簡単な説明】
【００３０】
【図１】本発明の第１の実施例を示す装飾体取付状態の横断平面図
【図２】図１の矢印Ｓ−Ｓ線断面図
【図３】（ａ）は凸状部材の側面図、（ｂ）は凹状部材の縦断側面図、（ｃ）は凹状部材の正面図
【図４】装飾部材の取付状態の正面図
【図５】支持板の取付状態を示す正面図
【図６】別の装飾体の取付状態の正面図
【図７】図６の矢印Ｔ−Ｔ線断面図
【図８】装飾体の取付例を示す斜視図
【図９】本発明の第２の実施例を示す図４相当図
【図１０】図９の矢印Ｕ−Ｕ線断面図
【図１１】本発明の第３の実施例を示す図４相当図
【図１２】図５相当図
【図１３】図１１の矢印Ｖ−Ｖ線断面図
【図１４】本発明の第４の実施例を示す図４相当図
【図１５】図１４とは取付形態が異なる図４相当図
【符号の説明】
【００３１】
図面中、１Ａ、１Ｂは装飾体、２は建物の内壁、３は支持板、４は凸状部材（係合部）、５は凹状部材、６は木ねじ（ねじ）、１１は支持板、１２は凸状部材（係合部）、１３は装飾体、１４は凹状部材（被係合部）を示す。
【図１】
2010071002.tif 000003
【図２】
2010071002.tif 000004
【図３】
2010071002.tif 000005
【図４】
2010071002.tif 000006
【図５】
2010071002.tif 000007
【図６】
2010071002.tif 000008
【図７】
2010071002.tif 000009
【図８】
2010071002.tif 000010
【図９】
2010071002.tif 000011
【図１０】
2010071002.tif 000012
【図１１】
2010071002.tif 000013
【図１２】
2010071002.tif 000014
【図１３】
2010071002.tif 000015
【図１４】
2010071002.tif 000016
【図１５】
2010071002.tif 000017